(57)【要約】【課題】環境への薬剤漏洩なくクズ等の難防除植物を容易に防除する技術の確立。【解決手段】除草剤を竹串に含有させ、用具を使用しないで植物体に挿入し、環境への薬剤漏洩のない防除技術を提供する。【特許請求の範囲】
【請求項１】
除草活性を有する化合物を含有させた植物枯殺用竹串。
【請求項２】
つまみ部分を有する請求項１記載の植物枯殺用竹串。
【請求項３】
除草活性を有する化合物がアセトラクテート合成阻害剤である請求項１及び請求項２記載の植物枯殺用竹串。
【請求項４】
除草活性を有する化合物がメトスルフロンメチルである請求項１及び請求項２記載の植物枯殺用竹串。
【発明の詳細な説明】
【発明の詳細な説明】
【技術分野】
【０００１】  本発明は、生活環境に生育する不必要で有害な難防除の永年生植物を効率的に防除する技術に関する。
【背景技術】
【０００２】  林木、フェンス、電柱等に絡んだクズや藤の防除は除草剤を散布して枯殺する方法が一般的である。近年まで植物ホルモン剤ピクロラムを木材で作った楊枝様の針に含有させてクズ等の樹幹に挿入し、塊根まで枯殺するものが農薬として登録されていた。また、アセトラクテート合成阻害剤イマザピルを従来と同じ技術によって防除する技術が財団法人日本植物調節剤研究協会で検討されている。
【参考文献１】
平成１４年度  非農耕地関係除草剤・生育調節剤試験成績集録  平成１５年１月  財団法人  日本植物調節剤研究協会
【発明が解決しようとする課題】
【０００３】  クズや藤等の蔓性豆科植物は、薬剤散布によって地上部の葉や細い茎を枯らすことができても太い茎や塊根まで枯殺することは難しく生き残った部分から容易に再生する防除の困難な植物である。また外来植物であるニセアカシア、イタチハギ等の豆科植物も伐倒による防除を試みても伐倒部位周辺や広く伸びた地下茎から容易に発芽し、これもまた防除の困難な植物である。従って、植物体内に直接薬剤を注入して植物を枯殺する方法は、地下部まで確実に枯死させることのできる優れた技術であり、同時に環境への薬剤漏洩がない優れた技術である。
【０００４】  一方、これまで使われてきた樹幹等に挿入する針は、効果的な薬剤含有量を確保するために木材を用いていた。しかし、木製の針は柔らかなクズ樹幹等に挿入する場合であっても、ドリル等を用いて孔を設けた後でないと折損する恐れがあり、まして前処理なしで樹木等に挿入することは不可能であった。加えて、植物個体１本１本への処理であり、道具を必要とする方法は作業効率が悪く、効果面、安全面から優れた技術でありながら広く普及しなかった原因と考えられる。
【課題を解決するための手段】
【０００５】  現在水田、畑地等で広く使用されている除草剤の中でアセトラクテート合成阻害剤は、単位面積あたりの投下薬剤量が極めて少量であり、植物に対して枯殺活性の高いものが多い。例えば、農薬登録されているメトスルフロンメチルの１０アール当たり有効成分使用量は１．２〜６．０ｇであり、多年生の強雑草に使用されるイマザピルの１０アール当たり有効成分使用量は５０〜１００ｇである。
【０００６】  水等に溶解したこれらの化合物を竹製の串（以下竹串と称する）に吸収させ乾燥させたものは、特別な道具を用いずクズ樹幹もしくは塊根に手で挿入することができる。また、ニセアカシア等の樹木に対しても形成層に直接手で挿し込むことができる。更にニセアカシア等の木質部に挿入固定させる場合であってもハンマー等を使い、折損なく容易に打ち込むことが可能であることを見出した。加えて薬剤を含有した竹串を用いることによって豆科植物以外の多くの不必要な永年性植物の防除も可能にする。
【０００７】  竹串は太さ２〜３ｍｍ程度の丸串もしくは鉄砲串を用いることもできるが、厚さ２〜５ｍｍの竹板を削って楔状とし、挿入する針の部分を長さ１〜４ｃｍ、また楔状の太い部分に面積１〜４平方センチメートル程度のつまみを設けることにより作業性の良い竹串にすることができる。風乾した竹を水に漬け２４時間後の吸水率はおよそ十数％であり、効果発現薬剤量を確保するために必要とする竹の重量は、あらかじめ浸漬時間と給水量の関係を調べることより求めることができる。例えばメトスルフロンメチルの場合、０．５〜２ｇの竹串で十分である。
【０００８】  使用される植物枯殺活性を有する化合物として、メトスルフロンメチル、エトキシスルフロン、フロラスラム等のスルホニルウレア系薬剤、もしくはイマザピル、イマザキン等の芳香族カルボン酸系薬剤等、豆科植物に殺草活性が高いアセトラクテート合成阻害剤が好ましい。その他、従来使用されてきたピクロラム等の高活性植物ホルモン剤や代謝系に作用して徐々に植物を枯殺させる薬剤を用いることも可能である。含有させる薬剤の有効成分量は、例えば、メトスルフロンメチルの場合、竹串１本当たり、０．１〜０．８ｍｇであり、イマザピルの場合５〜２０ｍｇである。
【０００９】  薬剤を含有させた竹串を調製するには、竹串の先を薬剤溶液中に浸漬し一定時間後に引き上げて乾燥すれば良い。例えば、つまみを有する楔状の竹串の場合は、つまみ部分の幅より狭く、針の挿入が可能な網目を有する網を薬剤溶液の入った容器にかぶせ、その網目から竹串を差し込み、吸収に必要な時間を経過させた後取り出すことで求める有効成分を含む竹串が調製できる。薬剤溶液は、安全な作業環境を確保することから水を用いることが好ましいが、有機溶剤を用いることによって竹串に含浸させる有効成分を増加させることも、乾燥を容易にすることも可能である。
【発明を実施するための最良の形態】
【００１０】  発明の実施の形態を製剤例に基づき説明する。【００１１】  （製剤例１）  メトスルフロンメチル含有竹串の調製
メトスルフロンメチル６０％水和剤（サーベルＤＦ  丸和バイオケミカル株式会社商品）１０ｇを８００ｍｌの水に懸濁させ、１０％水酸化ナトリウム溶液を添加してｐＨ６．８にして溶解させた後、水を加えて１０００ｍｌの０．６％水溶液を調製した。この溶液面から１ｍｍ程度離して網目幅５ｍｍの金網をかぶせ、網目から長さ３ｃｍ、中央部の太さ３ｍｍの針部分と、縦横２ｃｍのつまみ部分を有する竹串を挿入した。３時間及び５時間浸漬後に竹串を取り出して直ちに表面を拭って秤量し、浸漬前後の重量差から吸水量及びメトスルフロンメチルの含有量を算出した。５本毎、３ロットを秤量して１本当たりの重量を求めた。その結果を表１に示す。【００１２】
【表１】
2005053885.tif 000002
【００１３】  （製剤例２）  イマザピル含有竹串の調製
イマザピル２５％液剤（アーセナル  ＢＡＳＦアグロ株式会社商品）を１０％の１０００ｍｌ水溶液として、製剤例１と同様に処理して、吸水量及びイマザピルの含有量を算出した。５本毎、３ロットを秤量して１本当たりの重量を求めた。その結果を表２に示す。【００１４】
【表２】
2005053885.tif 000003
【実施例】
【００１５】  上記製剤例と同じ仕様の竹串を用いてクズ及びニセアカシアの作業性を検討した。また製剤例１及び２を用いてクズにおける枯殺活性を検討した。【００１６】  （試験例１）  茨城県つくば市
２００３年３月１１日、茨城県つくば市の荒地に生えているクズの地際部塊根及びニセアカシアの樹幹に製剤例と同じ仕様の竹串を、手で挿入する、もしくはハンマーによる打ち込みの検討を行った。その結果、クズは手で挿入が可能であった。ニセアカシア形成層への挿入は手で可能であったが、挿入角度や挿入強度により形成層に裂け目を生じた。手によるニセアカシア木質部への挿入は困難であったがハンマーにより容易に打ち込むことができた。【００１７】  （試験例２）  千葉県佐原市荒地
２００３年４月１８日、千葉県佐原市の荒地に３０〜５０ｃｍ新芽が伸びたクズの地際部塊根に製剤例１及び２によって調製した竹串を手で挿入した。根径が３ｃｍまでは１本、それより太い場合は２本挿入し、３ヵ月後に伸展した新芽の状況、塊根の生存状態を調査した。評価は下記の記号によった。その結果を表３に示す。【００１８】
【表３】
2005053885.tif 000004
【００１９】  （試験例３）  千葉県酒々井町水田の傾斜地
試験例１と同様の方法で２００３年４月２２日に実施した。その結果の平均値を表４に示す。【００２０】
【表４】
2005053885.tif 000005
【００２１】  以上のように、メトスルフロンメチル、イマザピル等のアセトラクテート合成阻害剤を含有させた竹串を、用具を使用しないで塊根に挿入することにより容易にクズを防除しうることが明らかになった。
【発明の効果】
【００２２】  環境への薬剤漏洩を伴わず容易に難防除植物を防除する。